(57)【要約】【課題】設備がコンパクトであり、エネルギー消費量が少なく、油槽内部の清掃も容易であり、しかも表裏の揚げムラのない反転式フライヤを提供する。【解決手段】油槽の上部一端に設けられた水平軸１０に、この水平軸側の端部に傾斜立ち上り部を備えたフレーム１１を油槽内部の浸漬位置と油槽上部の引き上げ位置とを取れるように枢着する。フレーム１１の両側の側板１２に、一対の無端チェーン１２を傾斜立ち上り部では油面から上昇するが水平部では油中を往復するように張り、この一対の無端チェーン間に開閉自在な蓋２１を備えたフライ用のケース２０を多数個取り付け、水平軸１０の反対側の油中でスポロケット１７により上下反転させる。ケース２０が油面から上昇した位置で生地Ｗの供給と取り出しを行う。【選択図】    図１
2006346338.tif 000002
【特許請求の範囲】
【請求項１】
油槽の上部一端に設けられた水平軸に、この水平軸側の端部に傾斜立ち上り部を備えたフレームを油槽内部の浸漬位置と油槽上部の引き上げ位置とを取れるように枢着し、このフレームの両側に一対の無端チェーンを、傾斜立ち上り部では油面から上昇するが水平部では油中を往復するように張り、この一対の無端チェーン間に開閉自在な蓋を備えた油流通可能なケースを多数個取り付け、水平軸の反対側の油中で上下反転させることを特徴とする反転式フライヤ。
【請求項２】
フレームの内側に油中を移動するケースの蓋抑え用レールを配置したことを特徴とする請求項１記載の反転式フライヤ。
【請求項３】
フレームの傾斜立ち上り部に、ケースの蓋を閉じる揺動レバーを設けたことを特徴とする請求項１記載の反転式フライヤ。
【請求項４】
油槽の下面を加熱したのち水平に導かれるバーナーの燃焼ガスと接する油槽の下面に、銅製フィンを設けたことを特徴とする請求項１記載の反転式フライヤ。
【請求項５】
油槽の下面に形成されるバーナーの燃焼ガス通路高さを、バーナーから遠い出口側で絞ったことを特徴とする請求項１記載の反転式フライヤ。
【発明の詳細な説明】
【技術分野】
【０００１】
本発明は、生揚げや絹揚げ等の水分の多い食品を表裏なくきれいに揚げることができる反転式フライヤに関するものである。
【背景技術】
【０００２】
生揚げや絹揚げは、豆乳を凝固させた厚手の生地を加熱された油中で揚げる方法で製造されている。揚げる工程で多量の水分が蒸発し気泡が発生するが、生地の上面で発生する気泡は油表面に抜け易いのに対して、生地の下面で発生する気泡は浮上が妨げられるので、上面に比較して下面は加熱されにくく、白っぽくなり揚がりムラが生じ易い。また、生揚げや絹揚げ以外の揚げ物においても、表裏の色むらは多少発生する。
【０００３】
これを解決するために、人手により揚げる場合には表裏を反転させることによって上記の揚がりムラを防止しているが、自動フライヤによる場合には下側（裏側）が白くなることを避け難い。なお特許文献１〜４には、生揚げや絹揚げ用ではないが、ケースに入れて反転させる方法で、自動フライヤにおける揚がりムラを減少させるための工夫が提案されている。
【０００４】
特許文献１である特開昭６１−３７０７９号公報には、生地が収納されたケースを無端チェーンにより油中で一方向に移動させながら、その途中でラックピニオン機構を利用して反転させるようにした反転式フライヤが記載されている。また特許文献２である特開平６−３１１９３４号公報には、無端チェーンによりケースを油中で一方向に移動させる途中で、係止ピンとアームを利用してケースを反転させるようにした反転式フライヤが記載されている。
【０００５】
しかしこのように高温の油槽中にケースの反転機構を組み込んだ反転式フライヤは、長期間使用すると揚げ糟や油重合物の付着によって反転機構の動きが妨げられ、かつケースも熱変形することがあるため、うまく反転できなくなることや、蓋が確実に閉まらなくなること等のおそれがある。しかも反転機構は油中に設置されているので、その補修を行うことも容易ではない。またこれらの反転式フライヤは生地が収納されたケースを油中で一方向に移動させる方式であるため、大きな油槽面積を必要とし、油と空気との接触面積も広くなることから、油の酸化劣化が進行し易いという問題もあった。
【０００６】
特許文献３である特公昭５６−２６３８３号公報には、チェーンに取り付けられた蓋付きのケースに麺を収納し、油槽内部で昇降または往復させながら反転させる反転式フライヤが記載されている。この方式では製品である麺の浮力によって蓋が押し上げられ、製品が飛び出すおそれがあるため、ロック式のケースが用いられている。このためケースへの出し入れの際にロックを解除したりロックする作業を人手により行わねばならず、生産性があがらないうえに、高温のケースに触れて火傷を負うおそれもある。
【０００７】
さらに特許文献４である特開平８−１４０８６５号公報にも、チェーンに取り付けられた蓋付きのケースに麺を収納し、油槽内部で往復させる反転式フライヤが記載されている。しかしこの反転式フライヤはケースと蓋とを別のチェーンコンベヤにより搬送する複雑な構造を採用しているうえ、ケースへの供給とケースからの取り出しを油槽の反対側で行うため、両側に作業員を配置しなければならないという問題もある。また、フライ後の空ケースも油中を通るため、油槽が深くなり大量の油が必要であること、油槽が深くなるほど上下の温度ムラが生じるので、シビヤな温度管理が必要な揚げ物には不向きであること等の問題があった。
【０００８】
上記したように従来の反転式フライヤは、装置が大型であり敷地面積の狭い小規模な工場には設置できないこと、油槽面積が広いので油の酸化劣化が生じやすく、また大量の油を要すること、油槽加熱のために多量のエネルギーを要すること、一人で作業性よく生揚げや絹揚げを製造できないこと、油槽の内部に複雑な機構を設置するために故障しやすく、かつ油槽内部の清掃も容易でないことなどの多くの問題を残していた。
【特許文献１】特開昭６１−３７０７９号公報
【特許文献２】特開平６−３１１９３４号公報
【特許文献３】特公昭５６−２６３８３号公報
【特許文献４】特開平８−１４０８６５号公報
【発明の開示】
【発明が解決しようとする課題】
【０００９】
従って本発明の目的は、設備がコンパクトで大量の油を必要とせず、エネルギー消費量が少なく、油槽内部の清掃も容易であり、しかも表裏の揚げムラのない生揚げや絹揚げを一人で作業性よく製造することができる反転式フライヤを提供することである。
【課題を解決するための手段】
【００１０】
上記の課題を帰結するためになされた本発明の反転式フライヤは、油槽の上部一端に設けられた水平軸に、この水平軸側の端部に傾斜立ち上り部を備えたフレームを油槽内部の浸漬位置と油槽上部の引き上げ位置とを取れるように枢着し、このフレームの両側に一対の無端チェーンを、傾斜立ち上り部では油面から上昇するが水平部では油中を往復するように張り、この一対の無端チェーン間に開閉自在な蓋を備えた油流通可能なケースを多数個取り付け、水平軸の反対側の油中で上下反転させることを特徴とするものである。
【００１１】
なお、フレームの内側に油中を移動するケースの蓋抑え用レールを配置することが好ましく、フレームの傾斜立ち上り部に、ケースの蓋を閉じる揺動レバーを設けることが好ましい。また油槽の下面を加熱したのち水平に導かれるバーナーの燃焼ガスと接する油槽の下面に、銅製フィンを設けることが好ましく、油槽の下面に形成されるバーナーの燃焼ガス通路高さを、バーナーから遠い出口側で絞った構造とすることが好ましい。
【発明の効果】
【００１２】
本発明の反転式フライヤは、蓋付きのケース内部に収納した生地を油中で往復させつつ反転させるので、生地の崩れがなく生地の両面を均等に揚げることができる。またケースへの生地の供給と取り出しを油槽の同一側で行うことができるので、一人で作業することができる。しかも油槽の全長が従来の半分になるので省スペースとなり、大量の油を要しない。しかも油と空気との接触面積も小さくなるので油の熱酸化が少なくなり、放熱量も少なくなるので省エネルギーとなり、炭酸ガス発生量の削減に寄与することができる。
【００１３】
また本発明の反転式フライヤは、油槽の上部一端に設けられた水平軸にフレームを枢着し、このフレームに無端チェーンを取り付けて油槽内部の浸漬位置と油槽上部の引き上げ位置とを取れる構造としたので、駆動部分の全体を容易に油槽から引き上げることができる。しかも油槽内部には反転機構を設置する必要もないため、油槽の底部に沈降堆積した揚げカスなどの清掃も容易であり、駆動部分のメンテナンスも容易に行うことができるなどの多くの利点がある。
【発明を実施するための最良の形態】
【００１４】
以下に本発明の好ましい実施形態を説明する。
図１と図２は本発明の第１の実施形態を示す図であり、１は油槽、２はその下部に設けられた加熱装置である。加熱装置２は、セラミックファイバ等の断熱材３により構成された加熱室の内部に上向きにバーナー４を設けるとともに、その燃焼ガスを燃焼ガス通路５により煙突６に導くようにしたもので、油槽の下面を加熱したのち燃焼ガス通路５内を水平に導かれる燃焼ガスと接する油槽１のバーナー４から遠い出口側の底面には、多数の銅製フィン７を設けてある。これによって高温の燃焼ガスとの伝熱面積を増加させてある。また銅製フィン７が設置された部分の燃焼ガス通路５の高さを絞ってある。なお図１では断熱材３の厚みを変えて燃焼ガス通路５の高さを絞ったが、図５に示すように断熱材３の厚みを一定としたまま、外壁を絞っても良い。
【００１５】
さて油槽１の上部一端には水平軸１０が設けられており、この水平軸１０にフレーム１１が枢着されている。フレーム１１は水平軸１０側の端部に傾斜立ち上り部を備えたものであって、水平軸１０を中心として回転させることにより、図１に示す油槽内部の浸漬位置と、図２に示す油槽上部の引き上げ位置とを取れるようになっている。なお適宜のロック手段により、図２の状態を保持できるようにしておく。
【００１６】
フレーム１１は油槽１の内部左右に延びる２枚の側板１２を備え、これらの側板１２の内側に図示のように一対の無端チェーン１３が張設されている。無端チェーン１３はフレーム１１の上部に設けられた２個のスプロケット１４、１５の部分で駆動され、側板１２の途中のスプロケット１６に向かって下降し、先端のスプロケット１７の部分でＵターンするようになっている。
【００１７】
両側の無端チェーン１３の間には、ケース２０が多数個取り付けられている。各ケース２０は図３に示すようにパンチングメタルからなる油流通可能なもので、左右側面が２本の軸によりチェーンリンクに支持されている。またケース２０の上面には開閉自在な蓋２１が蝶番により取り付けられている。また蓋２１の先端部分の両側にはローラ２２が取り付けられている。ケース２０はローラ２２を進行方向前方として、無端チェーン１３に支持されている。なお、２枚の側板１２の内側にはローラ２２と接触する蓋抑え用レール１８が設けられており、油中を移動するケース２０の蓋２１を図１に示す閉鎖位置に保持できるようになっている。
【００１８】
図１に示すようにケース２０は傾斜立ち上り部においては油槽１より上昇し、この部分でケース２０内への生地の供給及び取り出しが行われる。以下に順を追って本発明の反転式フライヤの動きを説明する。
【００１９】
先ず図１の左端部では蓋２１は自重により開いた状態にあり、生地Wがケース２０内に供給される。スプロケット１５を越えるとケース２０は油槽１の内部に向かって下降するが、この部分には図４に示されるような揺動レバー３０を設けてあり、ケース２０の蓋２１を確実に閉じる。すなわち、揺動レバー３０は図示のように屈曲させた重量のある金属板を軸３１によって揺動自在に支持したもので、図４のＡ、Ｂに示すように最初は蓋２１先端のローラ２２が揺動レバー３０を押し上げながら図の右方向に進行するが、スプロケット１５を越えてケース２０が下降し始める位置まで来ると、図４のＣに示すように揺動レバー３０の先端屈曲部３２が蓋２１先端のローラ２２を右下方向に押圧し、ケース２０の蓋２１を確実に閉じる。
【００２０】
生地Ｗの入ったケース２０は蓋２１が閉じられた状態のまま油中に入り、右方向に水平に進行する。そして右端部のスプロケット１７の部分でＵターンする際に上下が反転され、蓋２１が下側となった状態で左方向に進行する。このように油中で上下が反転されるので、上下両面が均等に加熱され、揚げムラのない製品となる。油槽１の左端部に来るとケース２０は油面から上昇するが、その位置で蓋抑え用レール１８が終わっているため、蓋２１は自重で開いて製品をシュート１９に排出する。その後、ケース２０は蓋２１が開いたまま最初の位置に戻る。
【００２１】
このようにして、本発明の反転式フライヤは生地の供給及び取り出しを同一場所で行うため、揚げムラのない製品を一人で製造することができる。反転はスプロケット１７によって行われるので確実であり、反転ミスは生じない。また油槽１の全長は従来の半分となるため設置場所が少なくなるうえ、大量の油を必要とせず、油と空気との接触面積も半減するので油の酸化も抑制される。さらに湯面からの放熱量も少なくなるので省エネルギーとなる。
【００２２】
なお、油槽１の底部には次第に揚げカスが堆積してくるが、本発明の反転式フライヤは図２のようにフレーム１１を水平軸１０を中心として油槽１の上方に持ち上げることができる。そしてフレーム１１を持ち上げた油槽１の内部には従来のような反転機構は存在しない。このため油槽１の内部を容易に清掃することができる。また可動部分は全てフレーム１１の内部にあるため、メンテナンスも容易に行うことができる。
【図面の簡単な説明】
【００２３】
【図１】本発明の実施形態を示す断面図である。
【図２】フレームを持ち上げた状態を示す断面図である。
【図３】ケースの斜視図である。
【図４】揺動レバーの作動説明図である。
【図５】本発明の他の実施形態を示す断面図である。
【符号の説明】
【００２４】
１  油槽
２  加熱装置
３  断熱材
４  バーナー
５  燃焼ガス通路
６  煙突
７  銅製フィン
１０  水平軸
１１  フレーム
１２  側板
１３  無端チェーン
１４  スプロケット
１５  スプロケット
１６  スプロケット
１７  スプロケット
１８  蓋抑え用レール
１９  シュート
２０  ケース
２１  蓋
２２  ローラ
３０  揺動レバー
３１  軸
３２  先端屈曲部
【図１】
2006346338.tif 000003
【図２】
2006346338.tif 000004
【図３】
2006346338.tif 000005
【図４】
2006346338.tif 000006
【図５】
2006346338.tif 000007